(57)【要約】【課題】録画した番組に含まれる予告を再生する際に、予告を再生する番組のジャンルに関わらず、次回放送される番組の予告を再生することができる。【解決手段】実施形態の録画装置は、録画手段と、設定手段と、再生手段と、を備える。前記録画手段は、番組を録画する。前記設定手段は、前記録画した番組を分類するグループ毎に、前記録画した番組内における場面の切り替え位置および前記録画した番組間における場面の切り替え位置の少なくともいずれか一方を基準として、前記録画した番組に含まれる予告の予告位置を設定する。前記再生手段は、前記録画した番組のうち予告を再生する番組と同一のグループに分類される番組から、当該番組が分類されたグループについて設定された予告位置に従って、予告を再生する。【選択図】図１Ａ
2012138684.tif 000002
【特許請求の範囲】
【請求項１】
番組を録画する録画手段と、
前記録画した番組を分類するグループ毎に、前記録画した番組内における場面の切り替え位置および前記録画した番組間における場面の切り替え位置の少なくともいずれか一方を基準として、前記録画した番組に含まれる予告の予告位置を設定する設定手段と、
前記録画した番組のうち予告を再生する番組と同一のグループに分類される番組から、当該番組が分類されたグループについて設定された予告位置に従って、予告を再生する再生手段と、
を備えた録画装置。
【請求項２】
前記設定手段は、前記録画した番組をジャンルによって分類するグループ毎に、前記録画した番組内における場面の切り替え位置および前記録画した番組間における場面の切り替え位置の少なくともいずれか一方を基準として、前記録画した番組に含まれる予告の予告位置を設定する請求項１に記載の録画装置。
【請求項３】
前記再生手段は、前記設定手段により設定された予告位置のうち、予め設定された順位が高い予告位置に従って抽出された予告を最初に再生する請求項１または２に記載の録画装置。
【請求項４】
前記設定手段により設定された予告位置のうち、前記再生手段によって最後に再生した予告の予告位置に最も高い順位を設定する順位設定手段をさらに備え、
前記再生手段は、前記順位設定手段により設定された順位が高い予告位置に従って抽出した予告を最初に再生する請求項３に記載の録画装置。
【請求項５】
前記録画手段によって録画する番組を示す番組情報を配列した番組表を表示する表示手段と、
前記番組表に配列した番組情報が示す番組の中から、予告を再生する番組を選択する選択手段と、
を備えた請求項１から４のいずれか一に記載の録画装置。
【請求項６】
録画装置で実行される予告再生方法であって、
前記録画装置は、制御部と、番組を録画する録画部と、を備え、
前記制御部は、
設定手段が、前記録画した番組を分類するグループ毎に、前記録画した番組内における場面の切り替え位置および前記録画した番組間における場面の切り替え位置の少なくともいずれか一方を基準として、前記録画した番組に含まれる予告の予告位置を設定する工程と、
再生手段が、前記録画した番組のうち予告を再生する番組と同一のグループに分類される番組から、当該番組が分類されたグループについて設定された予告位置に従って、予告を再生する工程と、
を含む予告再生方法。
【発明の詳細な説明】
【技術分野】
【０００１】
本発明の実施形態は、録画装置および予告再生方法に関する。
【背景技術】
【０００２】
現在、テレビジョンに表示される番組表に含まれる番組情報は、文字だけで構成されている。そのため、ユーザは、テレビジョンに表示された番組表に含まれる番組情報から、その番組情報が示す番組がどのような内容なのかをイメージしづらい。
【０００３】
そこで、既に録画されている番組から、当該番組に含まれる本編の終了間際の所定時間内に放送された部分を次回放送される番組の予告として抽出し、抽出した予告を再生することにより、次回放送される番組がどのような内容なのかをイメージすることを容易にする技術が開示されている。
【先行技術文献】
【特許文献】
【０００４】
【特許文献１】特開２００７−２８８７２０号公報
【特許文献２】特開２００６−３２４７７０号公報
【発明の概要】
【発明が解決しようとする課題】
【０００５】
ところで、番組内において予告が含まれる位置は、番組のジャンル等によって異なる。しかしながら、従来技術においては、番組のジャンルに関わらず、録画されている番組の終了間際の所定時間内に放送された部分を予告として再生しているため、予告を抽出する番組のジャンルによっては、次回放送される番組の予告とは関係のない部分が再生されてしまう、という課題がある。
【０００６】
本発明は、上記に鑑みてなされたものであって、録画した番組に含まれる予告を再生する際に、予告を再生する番組のジャンルに関わらず、次回放送される番組の予告を再生することができる録画装置および予告再生方法を提供することを目的とする。
【課題を解決するための手段】
【０００７】
実施形態の録画装置は、録画手段と、設定手段と、再生手段と、を備える。前記録画手段は、番組を録画する。前記設定手段は、前記録画した番組を分類するグループ毎に、前記録画した番組内における場面の切り替え位置および前記録画した番組間における場面の切り替え位置の少なくともいずれか一方を基準として、前記録画した番組に含まれる予告の予告位置を設定する。前記再生手段は、前記録画した番組のうち予告を再生する番組と同一のグループに分類される番組から、当該番組が分類されたグループについて設定された予告位置に従って、予告を再生する。
【図面の簡単な説明】
【０００８】
【図１Ａ】図１Ａは、本実施形態にかかるデジタル放送受信装置の主要な信号処理系を示すブロック図である。
【図１Ｂ】図１Ｂは、リモートコントローラの外観を示す平面図である。
【図２】図２は、表示制御部によって表示される録画番組一覧画面の例を示す図である。
【図３】図３は、予告位置設定画面の一例を示す図である。
【図４】図４は、予告位置設定画面の一例を示す図である。
【図５】図５は、予告位置設定画面の一例を示す図である。
【図６】図６は、カーソルの移動に連動して表示されるタイムバーの一例を示す図である。
【図７】図７は、予告位置設定画面の一例を示す図である。
【図８】図８は、詳細設定画面の一例を示す図である。
【図９】図９は、設定情報を入力するための設定情報画面の一例を示す図である。
【図１０】図１０は、設定情報を入力するための設定情報画面の一例を示す図である。
【図１１】図１１は、設定情報を入力するための設定情報画面の一例を示す図である。
【図１２】図１２は、設定情報が入力されなかった場合の詳細設定画面の一例を示す図である。
【図１３】図１３は、番組表の一例を示す図である。
【図１４】図１４は、番組説明画面の一例を示す図である。
【図１５】図１５は、ジャンルによって分類されるグループ毎に設定された予告位置の一例を示す図である。
【図１６】図１６は、再生された予告の表示例を示す図である。
【図１７】図１７は、予告を再生する処理の流れを示すフローチャートである。
【図１８】図１８は、番組コンテンツの録画予約を行う番組予約画面の一例を示す図である。
【図１９】図１９は、予告位置設定画面の一例を示す図である。
【図２０】図２０は、再生時間を基準にして予告位置を設定するための設定情報画面の一例を示す図である。
【図２１】図２１は、予告位置を設定する際の基準を再生時間からＣＭ箇所に変更した場合に表示される設定情報画面の一例を示す図である。
【図２２】図２２は、予告位置を設定する際の基準を再生時間からＣＭ箇所に変更する場合における、設定情報画面の表示方法を説明するための図である。
【図２３】図２３は、予告位置を設定する際の基準を再生時間からＣＭ箇所に変更した場合に表示される設定情報画面の一例を示す図である。
【図２４】図２４は、予告位置を設定する際の基準を再生時間からＣＭ箇所に変更する場合における、設定情報画面の表示方法を説明するための図である。
【図２５】図２５は、番組コンテンツを再生中に表示された予告位置設定画面の一例を示す図である。
【発明を実施するための形態】
【０００９】
以下に添付図面を参照して、本実施形態にかかるデジタル放送受信装置の最良の実施形態を詳細に説明する。本実施形態は、録画装置および予告再生方法としてデジタル放送受信装置を適用した例である。
【００１０】
（第１の実施形態）
まず、図１Ａを用いて、本実施形態にかかるデジタル放送受信装置１００のハードウェア構成について説明する。図１Ａは、本実施形態にかかるデジタル放送受信装置の主要な信号処理系を示すブロック図である。
【００１１】
入力端子１２８には、ＢＳ／ＣＳデジタル放送受信用のアンテナ１０１が捕らえた衛星デジタルテレビジョン放送信号が入力される。そして、ＢＳ／ＣＳデジタル放送受信用のアンテナ１０１で捕らえた衛星デジタルテレビジョン放送信号は、入力端子１２８を介して衛星デジタル放送用のチューナ１０２に供給される。
【００１２】
チューナ１０２は、入力端子１２８から供給される衛星デジタルテレビジョン放送信号から所望のチャンネルの放送信号を選局して受信する。そして、チューナ１０２は、受信した放送信号をＰＳＫ（Phase  Shift  Keying）復調器１０３に出力する。
【００１３】
ＰＳＫ復調器１０３は、チューナ１０２から出力された放送信号を復調し、所望の番組を含んだＴＳ（Transport  Stream）を得て、ＴＳ復号器１０４に出力する。
【００１４】
ＴＳ復号器１０４は、ＰＳＫ復調器１０３から出力されたＴＳに多重化された信号のＴＳ復号処理を行い、所望の番組のデジタルの映像信号および音声信号をパケットに分解することにより得たＰＥＳ（Packetized  Elementary  Stream）を信号処理部１０５内のＳＴＤ（System  Target  Decoder）バッファ（図示しない）に出力する。また、ＴＳ復号器１０４は、デジタル放送により送られているセクション情報を、ＰＳＫ復調器１０３から出力されたＴＳから得て、信号処理部１０５内のセクション処理部（図示しない）へ出力する。
【００１５】
一方、入力端子１２９には、地上波放送受信用のアンテナ１０６が捕らえた地上デジタルテレビジョン放送信号が入力される。そして、地上波放送受信用のアンテナ１０６が捕らえた地上デジタルテレビジョン放送信号は、入力端子１２９を介して地上デジタル放送用のチューナ１０７に供給される。
【００１６】
チューナ１０７は、入力端子１２９から供給される地上デジタルテレビジョン放送信号から所望のチャンネルの放送信号を選局して受信し、受信した放送信号をＯＦＤＭ（Orthogonal  Frequency  Division  Multiplexing）復調器１０８に出力する。
【００１７】
ＯＦＤＭ復調器１０８は、チューナ１０７から出力された放送信号を復調し、所望の番組を含んだＴＳを得て、ＴＳ復号器１０９に出力する。
【００１８】
ＴＳ復号器１０９は、ＯＦＤＭ復調器１０８から出力されたＴＳに多重化された信号のＴＳ復号処理を行い、所望の番組のデジタルの映像信号および音声信号をパケットに分解することにより得たＰＥＳを信号処理部１０５内のＳＴＤバッファ（図示しない）へ出力する。また、ＴＳ復号器１０９は、デジタル放送により送られているセクション情報を、ＯＦＤＭ復調器１０８から出力されたＴＳから得て、信号処理部１０５内のセクション処理部（図示しない）へ出力する。
【００１９】
信号処理部１０５は、テレビ視聴時には、ＴＳ復号器１０４、１０９から出力され、ＳＴＤバッファに記憶された音声信号および映像信号に対して、選択的に所定のデジタル信号処理を実施し、選択的に所定のデジタル信号処理を実施した音声信号および映像信号をそれぞれ音声処理部１１０およびグラフィック処理部１１３に出力している。一方、信号処理部１０５は、番組録画時には、ＴＳ復号器１０４、１０９から出力されＳＴＤバッファに記憶された音声信号および映像信号に対して、選択的に所定のデジタル信号処理を実施する。そして、ＣＰＵ１３０が、選択的に所定のデジタル信号処理を実施した音声信号および映像信号を、バス１２７を介して記録装置（例えば、ＨＤＤ：Hard  Disk  Driveなど）１２５に記録する制御を行う。その際に、ＣＰＵ１３０は、後述するチャプター分割などの制御も行う。
【００２０】
また、録画番組再生時には、ＣＰＵ１３０により記録装置１２５から番組コンテンツが読み出された後、信号処理部１０５が、入力された信号に所定のデジタル信号処理を実施し、所定のデジタル信号処理を実施した音声信号および映像信号を音声処理部１１０およびグラフィック処理部１１３に出力する。
【００２１】
セクション処理部は、ＴＳ復号器１０４，１０９から入力されたセクション情報の中から、番組を取得するための各種データ（例えば、チャンネル番号など）や電子番組ガイド（ＥＰＧ：Electronic  Program  Guide）情報、番組属性情報（番組ジャンルなど）、映像，音声，字幕情報等のＳＩ（Service  Information）をＣＰＵ１３０に出力する。
【００２２】
グラフィック処理部１１３は、（１）信号処理部１０５内のＡＶデコーダ（図示しない）から供給されるデジタルの映像信号と、（２）ＯＳＤ（On  Screen  Display）信号生成部１１４で生成されるＯＳＤ信号と、（３）データ放送による画像データと、（４）ＣＰＵ１３０により生成されたＥＰＧ情報、映像ＥＳ（Elementary  Stream）、字幕信号と、を合成して映像処理部１１５に出力する。また、グラフィック処理部１１３は、字幕放送による字幕を放送する際、ＣＰＵ１３０からの制御による字幕情報に基づいて、映像信号上に字幕情報を重畳して映像処理部１１５に出力する。
【００２３】
映像処理部１１５は、グラフィック処理部１１３から出力されたデジタルの映像信号を、液晶ディスプレイなどの映像表示器１１６で表示可能なフォーマットのアナログ映像信号に変換した後、映像表示器１１６に出力する。また、映像処理部１１５は、アナログ映像信号を、出力端子１１７を介して外部に導出する。
【００２４】
音声処理部１１０は、信号処理部１０５から出力されたデジタルの音声信号をスピーカ１１１で再生可能なフォーマットのアナログ音声信号に変換した後、スピーカ１１１に出力する。また、音声処理部１１０は、アナログ音声信号を、出力端子１１２を介して外部に導出する。
【００２５】
ＣＰＵ１３０は、バス１２７を介して、放送信号の受信動作を含むデジタル放送受信装置１００の動作を統括的に制御する。例えば、ＣＰＵ１３０は、バス１２７を介して、操作部１２１からの操作情報を受け付ける。また、ＣＰＵ１３０は、リモートコントローラ１２３から送出された操作情報を、受光部１２２とバス１２７を介して受信し、その操作内容が反映されるように各部をそれぞれ制御している。
【００２６】
図１Ｂは、リモートコントローラの外観を示す平面図である。図１Ｂに示すように、リモートコントローラ１２３には、主として、電源キー２５ａ、２次元／３次元変換キー２５ｂ、数字キー２５ｃ、チャンネルアップダウンキー２５ｄ、音量調整キー２５ｅ、カーソル上キー２５ｆ、カーソル下キー２５ｇ、カーソル左キー２５ｈ、カーソル右キー２５ｉ、決定キー２５ｊ、メニューキー２５ｋ、戻るキー２５ｌ、終了キー２５ｍ、４色（青，赤，緑，黄）のカラーキー２５ｎ等が設けられている。
【００２７】
また、リモートコントローラ１２３には、ユーザが視聴したいときに視聴したい映像を配信するＶＯＤ（Video  On  Demand）サービスを受けるためのＶＯＤキー２５ｕが設けられている。
【００２８】
また、リモートコントローラ１２３には、再生停止キー２５ｏ、再生／一時停止キー２５ｐ、逆方向スキップキー２５ｑ、順方向スキップキー２５ｒ、早戻しキー２５ｓ、早送りキー２５ｔ等が設けられている。
【００２９】
図１Ａに戻り、ＣＰＵ１３０は、ＲＯＭ１１８に格納された（図示しない）予告再生プログラムを読み込み、ＲＡＭ１１９を作業領域として用いることで、録画部１３１、設定部１３２、表示制御部１３３、順位設定部１３４、選択部１３５、および再生部１３６をソフトウェアの機能として実現する。なお、これら機能は、ソフトウェアによる機能で実現することに制限するものではなく、ハードウェアコーディングで実現してもよい。
【００３０】
録画部１３１は、信号処理部１０５においてデジタル信号処理を実施した音声信号および映像信号（以下、番組コンテンツとする）を、バス１２７を介して記録装置１２５に録画する。本実施形態では、録画部１３１は、記録装置１２５に番組コンテンツを記録する際、ＥＰＧから、番組ＩＤ、番組名、ジャンル、番組タイプ、放送時間、番組説明などの番組情報を取得する。そして、録画部１３１は、取得した番組情報、当該番組情報によって番組コンテンツが分類されるグループ、当該グループ毎に設定された予告位置、および当該予告位置に予め設定された順位を、番組コンテンツに付加して記録装置１２５に録画するものとする。ここで、予告位置とは、録画した番組コンテンツにおけるＣＭを基準とした予告の位置である。
【００３１】
なお、本実施形態では、番組情報に含まれるジャンルおよび番組タイプの組み合わせと、グループと、を対応付けたテーブルをＲＯＭ１１８などの記憶装置に予め格納しておくものとする。録画部１３１は、ＲＯＭ１１８に格納したテーブルにおいて、録画した番組コンテンツに付加されたジャンルおよび番組タイプの組み合わせと対応付けられたグループを、録画した番組コンテンツが分類されるグループとする。
【００３２】
表示制御部１３３は、ＯＳＤ信号生成部１１４を制御して、番組表や各種画面や再生制御バナーの表示制御を行うものである。
【００３３】
図２は、表示制御部によって表示される録画番組一覧画面の例を示す図である。表示制御部１３３は、録画した番組コンテンツに付加された番組名２０１や番組説明２０４、録画した番組コンテンツの一部分を再生したプレビュー２０３、録画した番組コンテンツの再生や消去などの各種処理を要求するためのボタン２１０などが表示された録画番組一覧画面２００を表示する。
【００３４】
表示制御部１３３は、リモートコントローラ１２３により、録画番組一覧画面２００に表示されたカーソル２０２が、所望の番組名２０１に移動して、各種処理を行う番組コンテンツが選択されると、クイックメニュー２０５を録画番組一覧画面２００上に表示する。クイックメニュー２０５には、選択された番組コンテンツが分類されるグループに対する予告位置の設定を要求するメニュー：「予告位置設定」など、選択した番組コンテンツに対する各種設定を要求するメニュー２０６が表示されている。そして、表示制御部１３３は、リモートコントローラ１２３により、クイックメニュー２０５に表示されたカーソル２０７が移動して、予告位置の設定を要求するメニュー２０６：「予告位置設定」が選択されると、予告位置の設定に用いる情報を入力するための予告位置設定画面を表示する。
【００３５】
図３〜５は、予告位置設定画面の一例を示す図である。予告位置設定画面３００には、予告位置の設定を行う番組コンテンツのジャンル３０１、当該予告位置の設定を行う番組コンテンツの番組タイプ３０２、設定情報画面９００，１０００，１１００（図９〜１１参照）において入力した設定情報の有効または無効を示す詳細設定３０３が表示されている。ここで、設定情報とは、予告位置の設定方法、予告位置を設定する際に基準とするＣＭの箇所、ＣＭに入る前の部分を予告位置に設定するかまたはＣＭ明けの部分を予告位置に設定するかを示す予告箇所、設定する予告位置の長さを示す予告時間など、予告位置の設定に用いる情報である。
【００３６】
さらに、予告位置設定画面３００には、決定ボタン３０４、キャンセルボタン３０６、およびシリーズ予約ボタン３０７が表示されている。決定ボタン３０４は、ジャンル３０１、番組タイプ３０２、および詳細設定３０３を決定するためのボタンである。キャンセルボタン３０６は、ジャンル３０１、番組タイプ３０２、および詳細設定３０３をキャンセルするためのボタンである。シリーズ予約ボタン３０７は、ジャンル３０１および番組タイプ３０２により分類されるグループと同一のグループに分類される番組コンテンツの録画を予約するためのボタンである。
【００３７】
表示制御部１３３は、リモートコントローラ１２３により、カーソル３０５がジャンル３０１に移動すると、図４に示すように、予告位置の設定を行う番組コンテンツのジャンルを選択するためのプルダウンメニュー４０１を表示する。オペレータは、プルダウンメニュー４０１に表示されたジャンルのうち、所望のジャンルにカーソル３０５を移動させることで、予告位置の設定を行う番組コンテンツのジャンル３０１を入力することができる。そして、表示制御部１３３は、入力されたジャンル３０１を、選択した番組コンテンツに付加されたジャンルに反映させる。
【００３８】
表示制御部１３３は、リモートコントローラ１２３により、カーソル３０５が番組タイプ３０２に移動すると、図５に示すように、予告位置の設定を行う番組コンテンツの番組タイプを選択するためのプルダウンメニュー５０１を表示する。オペレータは、プルダウンメニュー５０１に表示された番組タイプのうち、所望の番組タイプにカーソル３０５を移動させることで、選択した番組コンテンツの番組タイプ３０２を入力することができる。そして、表示制御部１３３は、入力された番組タイプ３０２を、選択した番組コンテンツに付加された番組タイプに反映させる。
【００３９】
表示制御部１３３は、リモートコントローラ１２３により、プルダウンメニュー５０１が表示されて、番組タイプ３０２が入力されている間、ジャンル３０１および番組タイプ３０２により分類されるグループについて設定された予告位置を表すタイムバーを、カーソル３０５の移動に連動して切り替えて表示する。
【００４０】
図６は、カーソルの移動に連動して表示されるタイムバーの一例を示す図である。例えば、予告位置の設定を行う番組コンテンツのジャンルとして「映画」が入力され、かつプルダウンメニュー５０１に含まれる番組タイプのうち「タイプ１」にカーソル３０５が移動した場合、表示制御部１３３は、ジャンル：「映画」および番組タイプ：「タイプ１」により分類されるグループについて、予め設定された予告位置６０４を表すタイムバー６０１を表示する。また、予告位置の設定を行う番組コンテンツのジャンルとして「映画」が入力され、かつプルダウンメニュー５０１に含まれる番組タイプのうち「タイプ２」にカーソル３０５が移動した場合、表示制御部１３３は、ジャンル：「映画」および番組タイプ：「タイプ２」により分類されるグループについて、予め設定された予告位置６０５を表すタイムバー６０２を表示する。また、予告位置の設定を行う番組コンテンツのジャンルとして「映画」が入力され、かつプルダウンメニュー５０１に含まれる番組タイプのうち「タイプ３」にカーソル３０５が移動した場合、表示制御部１３３は、ジャンル：「映画」および番組タイプ：「タイプ３」により分類されるグループについて、予め設定された予告位置６０６を表すタイムバー６０３を表示する。これにより、ユーザは、タイムバー６０１〜６０３を見ながら、番組タイプ３０２を選択することができる。
【００４１】
なお、本実施形態では、番組タイプ３０２が入力されている間に、タイムバー６０１〜６０３を表示する例について説明したが、ジャンル３０１が入力されている間も、カーソル３０５が移動したジャンルと、入力された番組タイプ３０２により分類されるグループについて予め設定された予告位置を表すタイムバーを、カーソル３０５の移動に連動して切り替えて表示しても良い。
【００４２】
図７は、予告位置設定画面の一例を示す図である。図８は、詳細設定画面の一例を示す図である。表示制御部１３３は、予告位置設定画面３００において、カーソル３０５が詳細設定３０３に移動すると、図７に示すように、設定情報画面９００，１０００，１１００（図９〜１１参照）において入力した設定情報の有効または無効を入力するためのプルダウンメニュー７０１を表示する。
【００４３】
リモートコントローラ１２３により、カーソル３０５がプルダウンメニュー７０１に含まれる「設定有効」に移動して、設定情報を有効することが入力された場合、表示制御部１３３は、図８に示すように、設定情報画面９００，１０００，１１００（図９〜１１参照）において入力した設定情報を表す詳細設定画面８００を表示する。詳細設定画面８００には、予告位置設定画面３００で入力されたジャンル３０１および番組タイプ３０２に加えて、設定情報画面９００，１０００，１１００（図９〜１１参照）において入力した設定情報８０２〜８０４が表示されている。さらに、詳細設定画面８００には、設定情報の入力をキャンセルまたは決定するためのボタン８０５が表示されている。
【００４４】
詳細設定画面８００において、リモートコントローラ１２３により、設定情報８０２〜８０４にカーソル８０１が移動した場合、表示制御部１３３は、設定情報８０２〜８０４を入力するための設定情報画面を表示する。
【００４５】
図９〜１１は、設定情報を入力するための設定情報画面の一例を示す図である。設定情報画面９００には、ＣＭの長さを基準として予告位置を設定することを示す設定方法９０１、予告位置を設定する際に基準とするＣＭの長さを示すＣＭ長さ９０２、ＣＭに入る前の部分を予告位置に設定するかまたはＣＭ明けの部分を予告位置に設定するかを示す予告箇所９０３、設定する予告位置の長さを示す予告時間９０４など、予告位置の設定に用いる設定情報が表示されている。表示制御部１３３は、設定方法９０１、ＣＭ長さ９０２、または予告箇所９０３にカーソル９０５が移動すると、設定方法９０１、ＣＭ長さ９０２、または予告箇所９０３を選択するためのプルダウンメニュー（図示しない）を表示する。オペレータは、表示されたプルダウンメニューに含まれる設定方法、ＣＭ長さ、または予告箇所のうち、所望の設定方法、ＣＭ長さ、または予告箇所にカーソル９０５を移動させることで、設定方法９０１、ＣＭ長さ９０２、または予告箇所９０３を入力することができる。また、オペレータは、カーソル９０５を予告時間９０４に移動させることで、予告時間９０４を入力することができる。
【００４６】
設定情報画面１０００には、ＣＭの箇所を基準として予告位置を設定することを示す設定方法１００１、予告位置を設定する際に基準とするＣＭの箇所を示すＣＭ箇所１００２、ＣＭに入る前の部分を予告位置に設定するかまたはＣＭ明けの部分を予告位置に設定するかを示す予告箇所１００３、設定する予告位置の長さを示す予告時間１００４など、予告位置の設定に用いる設定情報が表示されている。表示制御部１３３は、設定方法１００１、ＣＭ箇所１００２、または予告箇所１００３にカーソル１００５が移動すると、設定方法１００１、ＣＭ箇所１００２、または予告箇所１００３を入力するためのプルダウンメニュー（図示しない）を表示する。オペレータは、表示されたプルダウンメニューに含まれる設定方法、ＣＭ箇所、または予告箇所のうち、所望の設定方法、ＣＭ箇所、または予告箇所にカーソル１００５を移動させることで、設定方法１００１、ＣＭ箇所１００２、または予告箇所１００３を入力することができる。また、オペレータは、カーソル１００５を予告時間１００４に移動させることで、予告時間１００４を入力することができる。
【００４７】
設定情報画面１１００には、ＣＭの頻度を基準にして予告位置を設定することを示す設定方法１１０１、予告位置を設定する際に基準とするＣＭの頻度を示すＣＭ頻度１１０２、ＣＭに入る前の部分を予告位置に設定するかまたはＣＭ明けの部分を予告位置に設定するかを示す予告箇所１１０３、設定する予告位置の長さを示す予告時間１１０４など、予告位置の設定に用いる設定情報が表示されている。表示制御部１３３は、設定方法１１０１、ＣＭ頻度１１０２、または予告箇所１１０３にカーソル１１０５が移動すると、設定方法１１０１、ＣＭ頻度１１０２、または予告箇所１１０３を選択するためのプルダウンメニュー（図示しない）を表示する。オペレータは、表示されたプルダウンメニューに含まれる設定方法、ＣＭ頻度、または予告箇所のうち、所望の設定方法、ＣＭ頻度、または予告箇所にカーソル１１０５を移動させることで、設定方法１１０１、ＣＭ頻度１１０２、または予告箇所１１０３を入力することができる。また、オペレータは、カーソル１１０５を予告時間１１０４に移動させることで、予告時間１１０４を入力することができる。
【００４８】
図１２は、設定情報が入力されなかった場合の詳細設定画面の一例を示す図である。設定情報画面９００，１０００，１１００において、設定情報が入力されなかった場合、表示制御部１３３は、図１２に示すように、設定情報８０２〜８０４：「無効」が表示された詳細設定画面８００を表示する。
【００４９】
また、表示制御部１３３は、ＥＰＧから、番組名などの番組情報を取得し、取得した番組情報をチャンネルごとに時系列に配列した番組表を表示する。図１３は、番組表の一例を示す図である。本実施形態では、表示制御部１３３は、図１３に示すように、番組名１３０２を含む番組情報１３０１を、チャンネルごとに時系列に配列した番組表１３００を表示する。また、表示制御部１３３は、ＲＯＭ１１８に格納されたテーブルから、ＥＰＧから取得した番組情報（ジャンル、番組タイプなど）と対応付けられたグループを特定し、特定したグループと同じグループが付加された番組コンテンツが記録装置１２５に録画されている場合には、番組コンテンツの予告が有ることを示す予告情報１３０３を番組情報１３０１とともに表示する。
【００５０】
表示制御部１３３は、カーソル１３０５が番組情報１３０１に移動すると、番組情報１３０１に対応する番組コンテンツの番組説明を含む番組説明画面を表示する。図１４は、番組説明画面の一例を示す図である。番組説明画面１４００には、ＥＰＧから取得した番組名１４０１および番組説明１４０２が表示されている。また、番組説明画面１４００には、番組名１４０１および番組説明１４０２を表示した番組コンテンツに対する録画予約や再生などの各種処理の実行を要求するためのボタン１４０３が表示されている。なお、番組表１３００においてカーソル１３０５が移動した番組情報１３０１とともに予告情報１３０３が表示されていた場合、番組説明画面１４００に表示されたボタン１４０３には、予告の再生を要求するボタンが含まれるものとする。
【００５１】
設定部１３２は、録画部１３１により録画した番組コンテンツのジャンルや番組タイプなどによって分類されるグループ毎に、録画した番組コンテンツにおけるＣＭを基準として、予告位置を設定する。なお、本実施形態では、録画した番組コンテンツにおけるＣＭを基準として、録画した番組コンテンツに含まれる予告位置を設定しているが、録画した番組コンテンツ内における場面の切り替え位置および前記録画した番組間における場面の切り替え位置の少なくともいずれか一方を基準とするものであれば、これに限定するものではない。例えば、録画した番組コンテンツのジャンルが音楽の場合には、音楽のシーンが始まった箇所または音楽のシーンが終わった箇所を、番組コンテンツ内における場面の切り替え位置としても良い。また、録画した番組コンテンツの始まりや終わりを、番組コンテンツ間における場面の切り替え位置としても良い。
【００５２】
本実施形態では、設定部１３２は、まず、予告位置設定画面３００においてジャンル３０１および番組タイプ３０２が入力されると、ＲＯＭ１１８に格納したテーブルに従って、入力されたジャンル３０１および番組タイプ３０２により分類されるグループを特定する。
【００５３】
次いで、設定部１３２は、予告位置設定画面３００に表示されたプルダウンメニュー７０１に含まれる「設定無効」にカーソル３０５が移動して、設定情報を無効にすることが入力され、かつ予告位置を決定するボタン３０４が押下された場合、特定したグループについて予め設定された予告位置（初期設定）を、予告位置に設定する。
【００５４】
一方、設定部１３２は、予告位置設定画面３００に表示されたプルダウンメニュー７０１に含まれる「設定有効」にカーソル３０５が移動して、設定情報画面９００，１０００，１１００（図９〜１１参照）において入力した設定情報を有効にすることが入力された場合、設定情報画面９００，１０００，１１００において入力された設定情報（例えば、設定方法９０１、ＣＭ長さ９０２、予告箇所９０３、および予告時間９０４）を用いて、特定したグループについて予告位置を設定する。なお、設定部１３２は、特定したグループについて予告位置の設定を、記録装置１２５に録画された番組コンテンツのうち、特定したグループと同一のグループの番組コンテンツに付加された予告位置の設定に反映させるものとする。
【００５５】
図１５は、ジャンルによって分類されるグループ毎に設定された予告位置の一例を示す図である。例えば、予告位置設定画面３００においてジャンル３０１：「ドラマ」が入力され、かつ設定情報画面１０００において設定方法１００１：「ＣＭ箇所基準」、ＣＭ箇所１００２：「番組の終わりから２番目」、予告箇所１００３：「ＣＭ入り」、および予告時間１００４：「１５分」が入力された場合、設定部１３２は、ジャンル３０１：「ドラマ」により分類されるグループ１について、番組の終わりから２番目にあるＣＭを基準として、ＣＭに入る前の本編の１５分間を予告位置１５０１に設定する。
【００５６】
また、予告位置設定画面３００においてジャンル３０１：「アニメ」が入力され、かつ設定情報画面１０００において設定方法１００１：「ＣＭ箇所基準」、ＣＭ箇所１００２：「番組の終わりから２番目」、予告箇所１００３：「ＣＭ明け」、および予告時間１００４：「１５分」が入力された場合、設定部１３２は、ジャンル３０１：「アニメ」により分類されるグループ２について、番組の終わりから２番目にあるＣＭを基準として、ＣＭ明けの本編の１５分間を予告位置１５０２に設定する。
【００５７】
また、予告位置設定画面３００においてジャンル３０１：「バラエティ」が入力され、かつ設定情報画面１１００において設定方法１１０１：「ＣＭ頻度基準」、ＣＭ頻度１１０２：「高い」、予告箇所１１０３：「ＣＭ入りおよびＣＭ明け」、および予告時間１１０４：「１５分」が入力された場合、設定部１３２は、ジャンル３０１：「バラエティ」により分類されるグループ３について、ＣＭの頻度が高い箇所に存在するＣＭを基準として、ＣＭに入る前の本編の１５分間およびＣＭ明けの本編の１５分間を予告位置１５０３，１５０４に設定する。
【００５８】
また、予告位置設定画面３００においてジャンル３０１：「映画」が入力され、かつ設定情報画面９００において設定方法９０１：「ＣＭ長さ基準」、ＣＭ箇所９０２：「長い」、予告箇所９０３：「ＣＭ入りおよびＣＭ明け」、および予告時間９０４：「１５分」が入力された場合、設定部１３２は、ジャンル３０１：「映画」により分類されるグループについて、ＣＭの長さが長い箇所に存在するＣＭを基準として、ＣＭに入る前の本編の１５分間およびＣＭ明けの本編の１５分間を予告位置１５０５〜１５０７に設定する。
【００５９】
順位設定部１３４は、後述する再生部１３６によって番組コンテンツの予告が再生された場合に、予告を再生した番組コンテンツのグループと同一のグループに分類される番組コンテンツに付加された複数の予告位置に対して順位を設定するものである。本実施形態では、順位設定部１３４は、後述する再生部１３６が番組コンテンツの予告を再生した際に、最後に再生した予告の予告位置に最も高い順位を設定する。
【００６０】
選択部１３５は、予告を再生する番組コンテンツを選択するものである。本実施形態では、選択部１３５は、番組説明画面１４００に表示されたボタン１４０３によって予告の再生が要求された場合に、番組表１３００が含む番組情報１３０１のうち、カーソル１３０５が移動した番組情報１３０１が示す番組コンテンツを選択する。
【００６１】
再生部１３６は、記録装置１２５に録画した番組コンテンツのうち選択部１３５により選択された番組コンテンツと同一のグループに分類される番組コンテンツの中から、その番組コンテンツが分類されたグループについて設定された予告位置に従って、予告を再生するものである。
【００６２】
具体的には、再生部１３６は、まず、ＥＰＧから、選択部１３５により選択した番組コンテンツの番組情報（例えば、ジャンルおよび番組タイプ）を取得し、ＲＯＭ１１８に格納されたテーブルから、取得した番組情報と対応付けられたグループを特定する。次いで、再生部１３６は、記録装置１２５に録画した番組コンテンツのうち、特定したグループと同一のグループが付加された番組コンテンツ、および当該番組コンテンツに付加された予告位置を読み出す。そして、再生部１３６は、読み出した番組コンテンツの中から、読み出した予告位置に従って、予告を再生する。
【００６３】
例えば、再生部１３６は、選択部１３５により選択した番組コンテンツが、図１５に示すグループ１に分類される場合、記録装置１２５からグループ１が付加された番組コンテンツおよび当該番組コンテンツに付加された予告位置１５０１を読み出す。そして、再生部１３６は、読み出した番組コンテンツからＣＭを検出するととともに、読み出した予告位置１５０１に従って、読み出した番組コンテンツの終わりから２番目にあるＣＭを基準として、当該ＣＭに入る前の本編の１５分間を、選択部１３５により選択した番組コンテンツの予告として再生する。なお、再生部１３６は、読み出した番組コンテンツに含まれる本編とＣＭとの音声信号や映像信号の特徴を分析して、本編とＣＭを検出したり（特開２００６−３２４７７１号公報）、読み出した番組コンテンツの音声信号や映像信号におけるＣＭ固有の特徴の有無を分析したりすることにより、番組コンテンツからＣＭを検出するものとする。
【００６４】
また、再生部１３６は、特定したグループと同一のグループに対して複数の予告位置が設定されていた場合、順位設定部１３４により設定された順位が高い予告位置の予告を最初に再生するものとする。
【００６５】
図１６は、再生された予告の表示例を示す図である。表示制御部１３３は、再生部１３６により再生された予告１６０１および再生する予告の切り替えを要求するボタン１６０２を含む予告画面１６００を表示する。再生部１３６は、特定したグループについて複数の予告位置が設定されていた場合、ボタン１６０２による予告の切り替えに応じて、再生する予告を切り替える。なお、本実施形態では、複数の予告が抽出された場合に、再生する予告の切り替えを要求する手段としてボタン１６０２を用いているが、これに限定するものではなく、例えば、抽出された複数の予告のサムネイル画像を生成し、生成したサムネイル画像を選択することにより再生する予告を切り替えても良い。
【００６６】
図１７は、予告を再生する処理の流れを示すフローチャートである。まず、表示制御部１３３は、リモートコントローラ１２３からの操作に応じて、番組表１３００を表示する（ステップＳ１７０１）。次いで、表示制御部１３３は、カーソル１３０５が番組表１３００に配列された番組情報１３０１に移動すると、番組情報１３０１に対応する番組コンテンツの番組説明１４０２を含む番組説明画面１４００を表示する（ステップＳ１７０２）。そして、番組説明画面１４００に表示されたボタン１４０３によって予告の再生が要求されると（ステップＳ１７０３：Ｙｅｓ）、選択部１３５は、番組表１３００においてカーソル１３０５が移動した番組情報１３０１が示す番組コンテンツを、予告を再生する番組コンテンツとして選択する（ステップＳ１７０４）。一方、番組説明画面１４００に表示されたボタン１４０３によって予告の再生が要求されずに、番組説明画面１４００が表示されてから所定時間経過した場合（ステップＳ１７０３：Ｎｏ、ステップＳ１７０５：Ｙｅｓ）、番組説明画面１４００の表示および番組表１３００の表示を停止するとともに、番組コンテンツの予告の再生を終了する。
【００６７】
再生部１３６は、選択部１３５により番組コンテンツが選択されると、記録装置１２５に録画した番組コンテンツのうち、選択した番組コンテンツが分類されるグループと同一のグループが付加された番組コンテンツ、および当該番組コンテンツに付加された予告位置を読み出す。さらに、再生部１３６は、読み出した番組コンテンツの中から、読み出した予告位置に従って、予告を再生する（ステップＳ１７０６）。
【００６８】
このように、第１の実施形態のデジタル放送受信装置１００によれば、番組コンテンツを録画し、録画した番組コンテンツを分類するグループ毎に、録画した番組コンテンツにおけるＣＭを基準として、録画した番組コンテンツに含まれる予告の予告位置を設定し、録画した番組コンテンツのうち予告を再生する番組コンテンツと同一のグループに分類される番組コンテンツの中から、当該番組コンテンツが分類されたグループについて設定された予告位置に従って、予告を再生することにより、予告を再生する番組コンテンツが分類されるグループに応じて、録画した番組コンテンツから再生する予告の予告位置を変更されるので、録画した番組コンテンツに含まれる予告を再生する際に、予告を再生する番組コンテンツが分類されるグループに関わらず、次回放送される番組コンテンツの予告を再生することができる。また、第１の実施形態のデジタル放送受信装置１００によれば、録画した番組コンテンツから予告を再生しているため、予告のみを個別に記録する必要なく、記録装置１２５の記録領域を節約することができる。さらに、第１の実施形態のデジタル放送受信装置１００によれば、自装置で設定された予告位置に従って、録画した番組コンテンツから予告を再生するため、番組コンテンツをサーバ等から受信する際の受信信号に予告位置を判別するため予告判別情報が含まれていなくても予告を再生することができる。
【００６９】
（第２の実施形態）
本実施形態は、番組コンテンツの録画予約を行う番組予約画面から予告位置の設定を行う例である。なお、本実施形態では、第１の実施形態と同様の箇所については説明を省略し、第１の実施形態と異なる箇所についてのみ説明する。
【００７０】
図１８は、番組コンテンツの録画予約を行う番組予約画面の一例を示す図である。図１９は、予告位置設定画面の一例を示す図である。表示制御部１３３は、図１３に示す番組表１３００においてカーソル１３０５が番組情報１３０１に移動し、リモートコントローラ１２３の決定キー２５ｊが押下されると、カーソル１３０５が移動した番組情報１３０１が示す番組コンテンツの録画予約を行う番組予約画面１８００を表示する。番組予約画面１８００には、ＥＰＧから取得した番組説明・録画情報１８０１、番組コンテンツの録画を予約するための録画予約ボタン１８０２、連続ドラマなど同一のグループに分類される番組コンテンツの録画を予約するための連ドラ予約ボタン１８０３、番組コンテンツの録画設定を変更するための録画設定ボタン１８０４、予告位置を設定するための予告設定ボタン１８０５が表示されている。
【００７１】
そして、番組予約画面１８００において、予告設定ボタン１８０５が押下されると、表示制御部１３３は、図１９に示すように、番組予約画面１８００に重畳して、予告位置設定画面３００を表示する。なお、予告位置設定画面３００は、第１の実施形態で説明した図３に示す予告位置設定画面３００と同様であるため、説明を省略する。
【００７２】
このように、第２の実施形態のデジタル放送受信装置１００によれば、番組コンテンツの録画予約を行う番組予約画面１８００に、予告位置の設定を要求するための予告設定ボタン１８０５を含めることにより、録画番組一覧画面２００からだけでなく、番組予約画面１８００からも予告位置の設定を要求することができる。
【００７３】
（第３の実施形態）
本実施形態は、番組コンテンツの再生中に予告位置の設定を行う例である。なお、本実施形態では、第１の実施形態と同様の箇所については説明を省略し、第１の実施形態と異なる箇所についてのみ説明する。
【００７４】
再生部１３６は、記録装置１２５に録画された番組コンテンツを再生する。
【００７５】
設定部１３２は、再生部１３６によって番組コンテンツが再生されている間に、リモートコントローラ１２３のカラーキー２５ｎが押下されると、当該カラーキー２５ｎが押下されたときの再生時間（位置）を基準にして、予告位置を設定する。ここで、再生時間とは、番組コンテンツを所定の速度で再生した場合に、番組コンテンツの再生開始から経過した時間、または番組コンテンツの再生終了までの時間である。本実施形態では、設定部１３２は、再生されている番組コンテンツにおいて、カラーキー２５ｎが押下されたときの再生時間の前後の所定時間内に再生される部分を、予告位置として設定する。
【００７６】
表示制御部１３３は、図８に示す詳細設定画面８００において設定情報８０２〜８０４にカーソル８０１が移動した場合、再生時間を基準にして予告位置を設定するための設定情報画面を表示する。
【００７７】
図２０は、再生時間を基準にして予告位置を設定するための設定情報画面の一例を示す図である。設定情報画面２０００には、再生時間を基準として予告位置を設定することを示す設定方法２００１、番組コンテンツの再生中にリモートコントローラ１２３のカラーキー２５ｎが押下されたときの番組コンテンツの再生終了までの再生時間２００２、および設定する予告位置の長さを示す予告時間２００３など、予告位置の設定に用いる設定情報が表示されている。表示制御部１３３は、設定方法２００１にカーソル２００４が移動すると、設定方法２００１を選択するためのプルダウンメニュー（図示しない）を表示する。再生部１３６による番組コンテンツの再生終了後、オペレータは、設定情報画面２０００に表示されたプルダウンメニューに含まれる設定方法のうち、所望の設定方法にカーソル２００４を移動させて、設定方法２００１を入力することができる。また、オペレータは、カーソル２００４を再生時間２００２または予告時間２００３に移動させることにより、リモートコントローラ１２３から再生時間２００２および予告時間２００３を入力することができる。なお、設定部１３２は、番組コンテンツの再生終了後、設定情報画面２０００において設定情報が入力された場合、入力された設定情報を用いて、予告位置を設定しなおすものとする。
【００７８】
また、オペレータは、再生部１３６による番組コンテンツの再生終了後、設定情報画面１０００において、予告位置を設定する際の基準を再生時間からＣＭ箇所に変更することが可能である。図２１および図２３は、予告位置を設定する際の基準を再生時間からＣＭ箇所に変更した場合に表示される設定情報画面の一例を示す図である。図２２および図２４は、予告位置を設定する際の基準を再生時間からＣＭ箇所に変更する場合における、設定情報画面の表示方法を説明するための図である。
【００７９】
表示制御部１３３は、予告位置を設定する際の基準を再生時間からＣＭ箇所に変更した場合における、設定情報画面１０００の表示に先立って、番組コンテンツの再生中にリモートコントローラ１２３のカラーキー２５ｎが押下されたときの再生時間を用いて、設定情報画面１０００に表示するＣＭ箇所１００２および予告箇所１００３などの設定情報の割り出しを行う。そして、表示制御部１３３は、割り出した設定情報が表示された設定情報画面１０００を表示する。これにより、予告位置を設定する際の基準を再生時間からＣＭ箇所に変更する場合に、オペレータは、再生時間を基準として割り出された設定情報を参照しながら、設定情報を変更することができる。
【００８０】
例えば、図２１に示すように、リモートコントローラ１２３のカラーキー２５ｎが押下されたときの再生時間が、番組コンテンツの終わりから５番目のＣＭ明けに位置している場合、表示制御部１３３は、ＣＭ箇所１００２：「５番目」および予告箇所１００３：「ＣＭ明け」などの設定情報を割り出し、割り出した設定情報が表示された設定情報画面１０００を表示する。
【００８１】
また、図２３に示すように、リモートコントローラ１２３のカラーキー２５ｎが押下されたときの再生時間が、番組コンテンツの終わりから５番目のＣＭに入る前に位置している場合、表示制御部１３３は、ＣＭ箇所１００２：「５番目」および予告箇所１００３：「ＣＭ入り」などの設定情報を割り出し、割り出した設定情報が表示された設定情報画面１０００を表示する。なお、予告時間１００４は、リモートコントローラ１２３のカラーキー２５ｎが押下されたときの再生時間の前後の所定時間αを加算した時間を予告時間としても良いし、未入力：「※」としても良い。
【００８２】
また、表示制御部１３３は、再生部１３６により番組コンテンツが再生されている間に、図２に示すクイックメニュー２０５の中からメニュー２０６：「予告位置設定」が選択された場合、メニュー２０６：「予告位置設定」が選択された時点で、再生中の番組コンテンツのジャンルや番組タイプなど、予告位置の設定に用いる情報を割り出す。そして、表示制御部１３３は、割り出した情報が表示された予告位置設定画面３００を表示する。
【００８３】
図２５は、番組コンテンツを再生中に表示された予告位置設定画面の一例を示す図である。表示制御部１３３は、番組コンテンツが再生されている間に、図２に示すクイックメニュー２０５からメニュー２０６：「予告位置設定」が選択された場合、記録装置１２５から、再生中の番組コンテンツに付加されたジャンルや番組タイプを読み出す。そして、表示制御部１３３は、読み出したジャンル３０１および番組タイプ３０２が表示された予告位置設定画面３００を表示する。これにより、オペレータは、番組コンテンツを再生している間も、ジャンル３０１や番組タイプ３０２など、予告位置の設定に用いる情報を変更することができる。
【００８４】
このように、第３の実施形態のデジタル放送受信装置１００によれば、番組コンテンツが再生されている間に、リモートコントローラ１２３のカラーキー２５ｎが押下された場合に、当該カラーキー２５ｎが押下されたときの再生時間を基準にして、予告位置を設定することにより、番組コンテンツの再生中に、リモートコントローラ１２３のカラーキー２５ｎを押下するだけで予告位置を設定できるので、より簡単に予告位置の設定が可能となる。
【００８５】
以上説明したとおり、第１から第３の実施形態によれば、録画した番組コンテンツに含まれる予告を再生する際に、予告を再生する番組コンテンツが分類されるグループに関わらず、次回放送される番組コンテンツの予告を再生することができる。また、第１から第３の実施形態によれば、前の週の番組の終了時やＣＭでしか見ることができなかった番組の予告を、番組表等を通じてオペレータが見たいときに簡単に見ることができるので、番組の内容をイメージしやすくなり、番組録画などの楽しさが増える。
【００８６】
なお、本実施形態のデジタル放送受信装置１００で実行される予告再生プログラムは、ＲＯＭ等に予め組み込まれて提供されるが、インストール可能な形式又は実行可能な形式のファイルでＣＤ−ＲＯＭ、フレキシブルディスク（ＦＤ）、ＣＤ−Ｒ、ＤＶＤ（Digital  Versatile  Disk）等のコンピュータで読み取り可能な記録媒体に記録して提供するように構成してもよい。
【００８７】
さらに、本実施形態のデジタル放送受信装置１００で実行される予告再生プログラムを、インターネット等のネットワークに接続されたコンピュータ上に格納し、ネットワーク経由でダウンロードさせることにより提供するように構成しても良い。また、本実施形態のデジタル放送受信装置１００で実行される予告再生プログラムをインターネット等のネットワーク経由で提供または配布するように構成しても良い。
【００８８】
なお、本発明は、上記実施形態そのままに限定されるものではなく、実施段階ではその要旨を逸脱しない範囲で構成要素を変形して具体化することができる。また、上記実施形態に開示されている複数の構成要素の適宜な組み合わせにより、種々の発明を形成することができる。例えば、実施形態に示される全構成要素からいくつかの構成要素を削除してもよい。さらに、異なる実施形態にわたる構成要素を適宜組み合わせても良い。
【符号の説明】
【００８９】
１００…デジタル放送受信装置、１１８…ＲＯＭ、１１９…ＲＡＭ、１２５…記録装置、１３０…ＣＰＵ、１３１…録画部、１３２…設定部、１３３…表示制御部、１３４…順位設定部、１３５…選択部、１３６…再生部。
【図１Ａ】
2012138684.tif 000003
【図１Ｂ】
2012138684.tif 000004
【図２】
2012138684.tif 000005
【図３】
2012138684.tif 000006
【図４】
2012138684.tif 000007
【図５】
2012138684.tif 000008
【図６】
2012138684.tif 000009
【図７】
2012138684.tif 000010
【図８】
2012138684.tif 000011
【図９】
2012138684.tif 000012
【図１０】
2012138684.tif 000013
【図１１】
2012138684.tif 000014
【図１２】
2012138684.tif 000015
【図１３】
2012138684.tif 000016
【図１４】
2012138684.tif 000017
【図１５】
2012138684.tif 000018
【図１６】
2012138684.tif 000019
【図１７】
2012138684.tif 000020
【図１８】
2012138684.tif 000021
【図１９】
2012138684.tif 000022
【図２０】
2012138684.tif 000023
【図２１】
2012138684.tif 000024
【図２２】
2012138684.tif 000025
【図２３】
2012138684.tif 000026
【図２４】
2012138684.tif 000027
【図２５】
2012138684.tif 000028